(57)【要約】【課題】互いに隣接した昇降路の一方の上端が他方の昇降路より上方であるときに、一方の昇降路上端の上方構造体の高さが低いエレベーター装置を得る。【解決手段】第一の昇降路１の上端対応位置に機械室２を設け、第一の昇降路１の上方に第一の巻上機４を設ける。また、第一の昇降路１に隣接して上端が第一の昇降路１の上端よりも高い第二の昇降路９を設け、また機械室２の第一の巻上機４の反第二の昇降路９側に第二の巻上機１１を設ける。そして、支持梁１２を第二の昇降路９の上端の上側及び第二の巻上機１１の上方に設けて、第二の昇降路側Ａ滑車１７及び第二の巻上機側Ｃ滑車１９を支持梁１２に枢着する。また、第二の昇降路９を昇降する昇降体２３を吊持した主索２２を第二の昇降路側Ａ滑車１７、第二の巻上機側Ｃ滑車１９及び第二の巻上機１１の駆動綱車２１に巻掛ける。【選択図】        図１
2004262635.tif 000002
【特許請求の範囲】
【請求項１】
第一の昇降路、この第一の昇降路の上端の上側及びこの上側を水平方向に延長した場所に形成された機械室並びにこの機械室に設置されて上記第一の昇降路の上方に配置された第一の巻上機と、上記第一の昇降路に隣接して設けられて上端が上記第一の昇降路の上端よりも上方に配置された第二の昇降路と、上記機械室に設置されて上記第一の巻上機の反上記第二の昇降路側に配置された第二の巻上機と、上記第二の昇降路の上端の上側及び上記第二の巻上機の上方に配置された支持梁と、この支持梁に枢着されて上記第二の昇降路の上方に配置された昇降路側滑車及び上記第二の巻上機の上方に配置された巻上機側滑車と、上記第二の昇降路を昇降する昇降体を吊持し上記昇降路側滑車及び巻上機側滑車に巻掛けられて上記第二の巻上機の駆動綱車に巻掛けられた主索とを備えたエレベーター装置。
【請求項２】
支持梁を、長手方向において第二の昇降路、第一の巻上機及び第二の巻上機のそれぞれに対応した位置で三分割して製作されたものとしたことを特徴とする請求項１記載のエレベーター装置。
【発明の詳細な説明】
【０００１】
【発明の属する技術分野】
この発明は、昇降路が互いに隣接して配置されて一方の昇降路の上端が他方の昇降路の上端よりも上方に配置されたエレベーター装置に関する。
【０００２】
【従来の技術】
従来のエレベーター装置においては、昇降路の上端の上側に機械室が設けられて機械室に巻上機が設置される。そして、二台のエレベーターの昇降路が互いに隣接して配置されて、一方の昇降路の上端が他方の昇降路の上端よりも上方に配置される場合には、それぞれの昇降路の上端の上側にそれぞれ機械室が設けられて機械室のそれぞれに巻上機が設置される。
【０００３】
従来のエレベーター装置は上記のように構成され、それぞれの巻上機が付勢されて巻上機に対応した昇降路に設けられて、主索によって吊持されたかご等の昇降体がそれぞれ運転される。（例えば、特許文献１参照）。
【０００４】
【特許文献１】
特開平４−７２９２号公報（第１頁、第３図）
【０００５】
【発明が解決しようとする課題】
従来のエレベーター装置では、二つの昇降路が互いに隣接して設けられる場合であって、一方の昇降路の上端が他方の昇降路の上端よりも上方に配置されるときに、エレベーターを設置する建物の高さが前述の一方の昇降路の上方における機械室高さに対応した高さになる。このため、建物の高さが無闇に高くなり建物における日照権に基づく高さ制限による制約を受け易くなる。また、二つの昇降路のそれぞれに別個に機械室を設けることになって建築費が嵩み、またそれぞれの機械室においてエレベーターの保守作業を行うことになり煩雑な手数が掛かるという問題点があった。
【０００６】
この発明は、かかる問題点を解消するためになされたものであり、互いに隣接した昇降路の一方の上端を他方の昇降路上端よりも上方に配置した構成であって、上記一方の昇降路上端における上方構造体の高さが低いエレベーター装置を得ることを目的とする。
【０００７】
【課題を解決するための手段】
この発明に係るエレベーター装置においては、第一の昇降路、この第一の昇降路の上端の上側及びこの上側を水平方向に延長した場所に形成された機械室並びにこの機械室に設置されて第一の昇降路の上方に配置された第一の巻上機と、第一の昇降路に隣接して設けられて上端が第一の昇降路の上端よりも上方に配置された第二の昇降路と、機械室に設置されて第一の巻上機の反第二の昇降路側に配置された第二の巻上機と、第二の昇降路の上端の上側及び第二の巻上機の上方に配置された支持梁と、この支持梁に枢着されて第二の昇降路の上方に配置された昇降路側滑車及び第二の巻上機の上方に配置された巻上機側滑車と、第二の昇降路を昇降する昇降体を吊持し昇降路側滑車及び巻上機側滑車に巻掛けられて第二の巻上機の駆動綱車に巻掛けられた主索とが設けられる。
【０００８】
【発明の実施の形態】
実施の形態１．
図１は、この発明の実施の形態の一例を示す図で、昇降路上部の縦断面図である。図において、第一の昇降路１の上端の上側及びこの上側から水平方向に延長した場所に形成された機械室２が設けられ、また機械室２に機械台３を介して第一の巻上機４が設置されて第一の昇降路１の上方に配置される。そして、第一の巻上機４の駆動綱車５に第一の主索６が巻掛けられて、一端によりかご７がまた他端によってつり合おもり８が吊持される。
【０００９】
また、第二の昇降路９が第一の昇降路１に隣接して設けられて上端が第一の昇降路１の上端よりも上方に配置され、また機械室２に機械台１０を介して第二の巻上機１１が設置されて第一の巻上機４の反第二の昇降路９側に配置される。そして、支持梁１２が第二の昇降路９の上端の上側から第一の巻上機４の上方を経て第二の巻上機１１の上方に設けられる。
【００１０】
なお、支持梁１２は長手方向に三分割して製作され、かつ対向端部が相互に連結される。そして、支持梁１２の第二の昇降路９側が第一受け梁１３により、また中間部が第二受け梁１４により、第二の巻上機１１側が第三受け梁１５及び支柱１６によって支持される。また、支持梁１２に第二の昇降路側Ａ滑車１７及び第二の昇降路側Ｂ滑車１８が枢着されて第二の昇降路９の上方に配置され、また支持梁１２に第二の巻上機側Ｃ滑車１９及び第二の巻上機側Ｄ滑車２０が枢着されて第二の巻上機１１の上方に配置される。
【００１１】
そして、第二の巻上機１１の駆動綱車２１に第二の主索２２が巻掛けられ、一側は第二の巻上機側Ｄ滑車２０及び第二の昇降路側Ｂ滑車１８に巻掛けられて、これの先端にかごからなる昇降体２３が吊持される。また、第二の主索２２の他側は第二の巻上機側Ｃ滑車１９及び第二の昇降路側Ａ滑車１７に巻掛けられて、これの先端につり合おもり２４が吊持される。
【００１２】
上記のように構成されたエレベーター装置において、第一の昇降路１の上端の上側に対応した高さに設けられた機械室２に第一の巻上機４及び第二の巻上機１１が設置される。また、機械室２の高さを、第二の昇降路９の上端の上側に対して支持梁１２並びに第二の昇降路側Ａ滑車１７及び第二の昇降路側Ｂ滑車１８の設置のための所要高さを加えた寸法とすることができる。このため、第二の昇降路９の上端の上側に第二の昇降路９のみに対応した別個の機械室を設けるときの高さよりも低くすることができる。
【００１３】
したがって、エレベーター装置を設置する建物の高さが無闇に高くなることがなく、建物における日照権に基づく高さ制限を回避することができる。また、機械室２に第一の巻上機４及び第二の巻上機１１が設置されるので、建築費を節減することができる。さらに、第一の巻上機４及び第二の巻上機１１並びにそれぞれの巻上機によって運転されるエレベーターの保守、点検、調整等の作業を機械室２において行うことができるので、これらの作業能率が向上しまた作業が容易にでき作業費を低減することができる。
【００１４】
また支持梁１２が、長手方向において第二の昇降路９、第一の巻上機４及び第二の巻上機１１のそれぞれに対応した位置で三分割して製作される。したがって、機械室２へ支持梁１２を容易に搬入することができ、また据付作業が容易にでき据付工事の能率が向上し費用を節減することができる。
【００１５】
【発明の効果】
この発明は以上説明したように、第一の昇降路、この第一の昇降路の上端の上側及びこの上側を水平方向に延長した場所を形成された機械室並びにこの機械室に設置されて第一の昇降路の上方に配置された第一の巻上機と、第一の昇降路に隣接して設けられて上端が第一の昇降路の上端よりも上方に配置された第二の昇降路と、機械室に設置されて第一の巻上機の反第二の昇降路側に配置された第二の巻上機と、第二の昇降路の上端の上側及び第二の巻上機の上方に配置された支持梁と、この支持梁に枢着されて第二の昇降路の上方に配置された昇降路側滑車及び第二の巻上機の上方に配置された巻上機側滑車と、第二の昇降路を昇降する昇降体を吊持し昇降路側滑車及び巻上機側滑車に巻掛けられて第二の巻上機の駆動綱車に巻掛けられた主索とを設けたものである。
【００１６】
このような構成において、第一の昇降路の上端の上側に対応した高さに設けられた機械室に第一の巻上機及び第二の巻上機が設置される。また、機械室の高さを、第二の昇降路の上端の上側に対して支持梁並びに昇降路側滑車の設置のための所要高さを加えた寸法とすることができる。このため、第二の昇降路の上端の上側に第二の昇降路のみに対応した別個の機械室を設けるときの高さよりも低くすることができる。したがって、エレベーター装置を設置する建物の高さが無闇に高くなることがなく、建物における日照権に基づく高さ制限回避を容易化する効果がある。また、一つの機械室に第一の巻上機及び第二の巻上機が設置されるので、建築費を節減する効果がある。さらに、第一の巻上機及び第二の巻上機並びにそれぞれの巻上機によって運転されるエレベーターの保守、点検、調整等の作業を機械室において行うことができるので、これらの作業能率を向上し、また作業が容易にでき作業費を低減する効果がある。
【図面の簡単な説明】
【図１】この発明の実施の形態１を示す昇降路上部の縦断面図。
【符号の説明】
１  第一の昇降路、２  機械室、４  第一の巻上機、９  第二の昇降路、１１第二の巻上機、１２  支持梁、１７  第二の昇降路側Ａ滑車、１８  第二の昇降路側Ｂ滑車、１９  第二の巻上機側Ｃ滑車、２０  第二の巻上機側Ｄ滑車、２１  駆動綱車、２２  主索、２３  昇降体。
【図１】
2004262635.tif 000003